(57)【要約】【課題】この発明は、簡易な構成で小型化及び薄型化を促進することができ、しかも、十分に実用的なレベルでバックラッシを抑制し、光ヘッドを高精度で移送することを可能とした光ヘッド装置、光ヘッドの移送方法を提供することを目的としている。また、この発明は、上記の光ヘッド装置を使用した光ディスク装置を提供することを目的としている。【解決手段】光ディスクに対してデータの記録または再生を行なうヘッド部２９が取り付けられ、光ディスクの径方向に移動自在に支持されるホルダ３１に固定された支持部材３６に対して、ラック部３８のラック３７が駆動源となる歯車３９に所定の弾性力をもって歯合されるように付勢する。【選択図】    図１０
2004355735.tif 000002
【特許請求の範囲】
【請求項１】
光ディスクに対してデータの記録または再生を行なうヘッド部が取り付けられたホルダと、
このホルダを前記光ディスクの径方向に移動自在に支持する支持手段と、
前記ホルダに固定された支持部材と、
この支持部材に対して所定間隔移動自在に係合され、前記ホルダの移動方向に沿ったラックを有するラック部と、
このラック部のラックと歯合して駆動源の回転力を前記ラックに伝達する歯車と、
前記ラック部を、前記ラックが前記歯車に所定の弾性力をもって歯合されるように前記支持部材に対して付勢する付勢手段とを具備してなることを特徴とする光ヘッド装置。
【請求項２】
前記支持部材と前記ラック部とは、そのいずれか一方の部材にボスが形成され、他方の部材にテーパ部が形成されて係合されており、
前記付勢手段は、前記ボスと前記テーパ部とを所定の弾性力で圧接させるように、前記支持部材及び前記ラック部に対して付勢力を与えることを特徴とする請求項１記載の光ヘッド装置。
【請求項３】
前記ボスと前記テーパ部とによる係合部分は、前記支持部材及び前記ラック部に、前記ホルダの移動方向に沿って複数箇所設置されることを特徴とする請求項２記載の光ヘッド装置。
【請求項４】
前記付勢手段は、前記支持部材と前記ラック部とに懸架されたばねであることを特徴とする請求項１記載の光ヘッド装置。
【請求項５】
前記支持手段は、前記光ディスクの径方向に沿って設置されたガイドシャフトと、前記ホルダに固定され前記ガイドシャフトと摺動自在に係合する保持部材とを備え、
前記支持部材は、前記保持部材を収容する収容部を備えることを特徴とする請求項１記載の光ヘッド装置。
【請求項６】
前記保持部材は、前記ガイドシャフトの長手方向に沿って複数箇所設置されることを特徴とする請求項５記載の光ヘッド装置。
【請求項７】
前記ホルダと前記支持部材とは一体的に形成されることを特徴とする請求項１記載の光ヘッド装置。
【請求項８】
光ディスクに対してデータの記録または再生を行なうヘッド部が取り付けられ、前記光ディスクの径方向に移動自在に支持されるホルダに固定された支持部材に対して、ラック部のラックが歯車に所定の弾性力をもって歯合されるように付勢する工程と、
前記歯車を回転駆動させて前記ラックに移動力を与える工程とを具備してなることを特徴とする光ヘッドの移送方法。
【請求項９】
光ディスクに対してデータの記録または再生を行なうヘッド部が取り付けられたホルダと、
このホルダを前記光ディスクの径方向に移動自在に支持する支持手段と、
前記ホルダに固定された支持部材と、
この支持部材に対して所定間隔移動自在に係合され、前記ホルダの移動方向に沿ったラックを有するラック部と、
このラック部のラックと歯合して駆動源の回転力を前記ラックに伝達する歯車と、
前記ラック部を、前記ラックが前記歯車に所定の弾性力をもって歯合されるように前記支持部材に対して付勢する付勢手段とを具備し、
前記駆動源の回転力により前記光ディスクの径方向に移動される前記ヘッド部を用いて、前記光ディスクに対するデータの記録または再生を行なうことを特徴とする光ディスク装置。
【発明の詳細な説明】
【０００１】
【発明の属する技術分野】
この発明は、光ディスクに対してデータの記録または再生を行なう光ヘッド装置、光ヘッドの移送方法に関する。また、この発明は、上記の光ヘッド装置を使用した光ディスク装置に関する。
【０００２】
【従来の技術】
周知のように、近年では、ＣＤ（Ｃｏｍｐａｃｔ  Ｄｉｓｋ）に対してデータの記録再生を行なうだけでなく、ＤＶＤ（Ｄｉｇｉｔａｌ  Ｖｅｒｓａｔｉｌｅ  Ｄｉｓｋ）等の光ディスクに対してもデータ記録再生を行なえる、いわゆるマルチディスクドライブ機器が広く普及している。
【０００３】
この種のマルチディスクドライブ機器は、例えばディスクトップ型パーソナルコンピュータの外付け機器として使用される以外に、ノート型パーソナルコンピュータの内蔵機器への適用も考慮されていることから、その外形寸法としても可能な限り小型化及び薄型化が要求される。
【０００４】
ところで、一般的な光ディスク装置にあっては、光ディスクに対してデータの記録再生を行なうための光ヘッドを、光ディスクの径方向に移動させるフィード機構が設置されている。このフィード機構は、モータの回転力を歯車とラックとにより直線運動に変換して、光ヘッドに伝達する構成となっている。
【０００５】
このため、歯車とラックとが歯合したときのがたつき、つまり、バックラッシが光ヘッドの移送の精度を保つ上で障害となっており、小型化を損なうことなくバックラッシをいかに抑制するかが、光ヘッドの移送精度を高めるための重要な課題となっている。
【０００６】
特許文献１には、ラックを２枚重ねにして互いに長手逆方向に弾性力で付勢することにより、ピニオン歯車との歯合を良好にするようにした構成が開示されている。また、特許文献２には、ピニオンをバネでラックに押圧するようにした構成が開示されている。
【０００７】
しかしながら、前者は、ラックを２枚重ねにする必要があるため、構成が複雑になっている。また、後者は、回転するピニオンをバネでラックに押圧する構成であるため、ピニオンの支持機構が複雑で構成が大掛かりなものになり、小型化に不向きであるという問題が生じる。
【０００８】
また、特許文献３には、フィードラックをロッドに対して平行移動させるとともに、ギアにかかる負荷を一様にしてギアの駆動力を一定にし、バックラッシをなくす構成が開示されている。
【０００９】
特許文献４には、すべり摩擦の影響を軽減し、光学式ピックアップをより小さな加速度で移動自在としトラック追従性を向上させるようにした構成が開示されている。
【００１０】
特許文献５には、ラックを備えた基台をプラスチック系材料により一体形成することによって、ラックとギヤとの接触を滑らかにして高精度の情報読取を可能とするようにした構成が開示されている。
【００１１】
しかしながら、これらの特許文献３乃至５に記載された技術では、まだまだ構成が複雑で大型化し易く、実用に十分なレベルにまで達しているとは言えないのが現状である。
【００１２】
【特許文献１】
特開２００２−２１６４４２号公報
【００１３】
【特許文献２】
特開平１１−３５３８２４号公報
【００１４】
【特許文献３】
特開平７−９３９２０号公報
【００１５】
【特許文献４】
特開平７−１２２００４号公報
【００１６】
【特許文献５】
特開平７−１４７０１８号公報
【００１７】
【発明が解決しようとする課題】
そこで、この発明は上記事情を考慮してなされたもので、簡易な構成で小型化及び薄型化を促進することができ、しかも、十分に実用的なレベルでバックラッシを抑制し、光ヘッドを高精度で移送することを可能とした光ヘッド装置、光ヘッドの移送方法を提供することを目的とする。また、この発明は、上記の光ヘッド装置を使用した光ディスク装置を提供することを目的とする。
【００１８】
【課題を解決するための手段】
この発明に係る光ヘッド装置は、光ディスクに対してデータの記録または再生を行なうヘッド部が取り付けられたホルダと、このホルダを光ディスクの径方向に移動自在に支持する支持手段と、ホルダに固定された支持部材と、この支持部材に対して所定間隔移動自在に係合されホルダの移動方向に沿ったラックを有するラック部と、このラック部のラックと歯合して駆動源の回転力をラックに伝達する歯車と、ラック部のラックが歯車に所定の弾性力をもって歯合されるように支持部材に対して付勢する付勢手段とを備えるようにしたものである。
【００１９】
また、この発明に係る光ヘッドの移送方法は、光ディスクに対してデータの記録または再生を行なうヘッド部が取り付けられ、光ディスクの径方向に移動自在に支持されるホルダに固定された支持部材に対して、ラック部のラックが歯車に所定の弾性力をもって歯合されるように付勢する工程と、歯車を回転駆動させてラックに移動力を与える工程とを備えるようにしたものである。
【００２０】
さらに、この発明に係る光ディスク装置は、光ディスクに対してデータの記録または再生を行なうヘッド部が取り付けられたホルダと、このホルダを光ディスクの径方向に移動自在に支持する支持手段と、ホルダに固定された支持部材と、この支持部材に対して所定間隔移動自在に係合されホルダの移動方向に沿ったラックを有するラック部と、このラック部のラックと歯合して駆動源の回転力をラックに伝達する歯車と、ラック部をラックが歯車に所定の弾性力をもって歯合されるように支持部材に対して付勢する付勢手段とを備え、駆動源の回転力により光ディスクの径方向に移動されるヘッド部を用いて光ディスクに対するデータの記録または再生を行なうようにしたものである。
【００２１】
上記のような構成及び方法によれば、ホルダに固定された支持部材に対して、ラック部を、そのラックが駆動源となる歯車に所定の弾性力をもって歯合されるように付勢したので、簡易な構成で小型化及び薄型化を促進することができ、しかも、十分に実用的なレベルでバックラッシを抑制し、光ヘッドを高精度で移送することが可能となる。
【００２２】
【発明の実施の形態】
以下、この発明の実施の形態について、図面を参照して詳細に説明する。図１は、この実施の形態で説明する光ディスク装置１１の外観を示している。すなわち、この光ディスク装置１１は、略薄型の箱状に形成されたキャビネット１２を有している。
【００２３】
このキャビネット１２の前面パネル１３には、その中央部に、ディスクローディング部１４が設置されている。このディスクローディング部１４は、キャビネット１２の前面パネル１３から外方に向けて後述するトレイを出入させることにより、例えばＣＤやＤＶＤ等の光ディスクの装着や排出を行なわせている。
【００２４】
また、上記キャビネット１２の前面パネル１３には、その一端部に電源キー１５が設置されている。また、この前面パネル１３の他端部には、動作状態を表示する表示部１６と、光ディスク装置１１を所定の動作状態や停止状態に設定するための複数の操作キー１７とが設置されている。
【００２５】
図２は、上記ディスクローディング部１４を取り出して、上面から見た状態を示している。すなわち、ベース体１８は、種々の部品を直接的または間接的に支持する取付基体となっている。
【００２６】
このベース体１８には、天板１８ａと、この天板１８ａの対向する両端に形成された側板１８ｂ，１８ｂと、この側板１８ｂ，１８ｂから延出され天板１８ａに面対向する底板１８ｃ（図２では見えない）と、側板１８ｂ，１８ｂの前端部同士を連結するもので、天板１８ａとの間に後述するトレイ２２が遊挿される隙間を空けて形成された前板１８ｄ（図２では見えない）とが形成されている。
【００２７】
このうち、側板１８ｂ，１８ｂ間には、連結板１９が架設されている。この連結板１９の中央部には、弾性を有する取り付け片２０を介してクランプ部材２１が取り付けられている。このクランプ部材２１は、ベース体１８の天板１８ａに形成された開口を介して、ベース体１８の内方に向かうように、取り付け片２０により弾性付勢されている。
【００２８】
また、ベース体１８には、トレイ２２が支持されている。このトレイ２２は、そのディスク載置部２２ａを天板１８ａに面対向させた状態で、図中左右方向にスライド自在に支持されている。この場合、トレイ２２は、その両側面が、ベース体１８の底板１８ｃに設けられたボスで、スライド自在に支持されている。
【００２９】
図３は、図２に示したディスクローディング部１４を裏面側から見た状態を示している。すなわち、ベース体１８の底板１８ｃには、トレイ２２の裏面と面対向するようにシャーシ２３が支持されている。このシャーシ２３には、後述するターンテーブルや光ヘッド等が搭載されている。
【００３０】
また、このシャーシ２３は、その一端部に形成された突起２３ａ，２３ａが底板１８ｃに回動自在に支持されている。これにより、シャーシ２３は、その他端部が、突起２３ａ，２３ａを支点として煽り方向に移動されるように支持されている。
【００３１】
このシャーシ２３には、駆動モータ２４が支持されている。この駆動モータ２４には、その回転軸にウォーム歯車２５が嵌着されている。そして、このウォーム歯車２５が、シャーシ２３に回転自在に支持されたウォームホイール２６に歯合されることにより、駆動モータ２４の回転力がウォームホイール２６に伝達される。
【００３２】
このように、駆動モータ２４の回転力でウォームホイール２６が回転されることにより、トレイ２２、シャーシ２３及び光ヘッド等の移動が行なわれる。
【００３３】
図４は、ベース体１８の内部にトレイ２２が収納された状態を、側面から見た状態を示している。この場合、シャーシ２３は、トレイ２２に対して上昇された位置に制御される。この位置では、ターンテーブルがトレイ２２から光ディスクを持ち上げて、クランプ部材２１との間に光ディスクを挟装しているとともに、光ヘッドが光ディスクの信号記録面に対向している。
【００３４】
図５は、ベース体１８からトレイ２２が引き出された状態を、側面から見た状態を示している。この場合、シャーシ２３は、トレイ２２に対して下降された位置に制御される。この位置では、ターンテーブルが光ディスクから離間し、光ディスクがトレイ２２に載置されている。
【００３５】
図６は、上記シャーシ２３を図２の方向から見た状態を示している。図７は、上記シャーシ２３を裏面側、つまり、図３の方向から見た状態を示している。さらに、図８は、図６から光ヘッドを移送するフィード機構の部分を取り出して示している。
【００３６】
すなわち、上記ターンテーブル２７は、シャーシ２３に固定された図示しないディスクモータの回転軸に嵌着されており、ディスクモータの回転力によって回転駆動される。
【００３７】
また、シャーシ２３には、上記光ヘッド２８が取り付けられている。この光ヘッド２８は、図示しないレーザダイオード及びフォトダイオード等を備えたヘッド部２９と、このヘッド部２９が取り付けられる印刷配線基板３０と、この印刷配線基板３０が固定されたホルダ３１とから構成される。
【００３８】
そして、この光ヘッド２８は、シャーシ２３に並列に固定された２本のガイドシャフト３２，３３によって、ターンテーブル２７に接近する方向と、ターンテーブル２７から離れる方向とに移動自在に支持されている。
【００３９】
この場合、上記ホルダ３１には、ガイドシャフト３２にスライド自在に係合される保持部材３４と、ガイドシャフト３３にスライド自在に係合される保持部材３５とがそれぞれ支持されている。そして、光ヘッド２８は、保持部材３４，３５によって、ガイドシャフト３２，３３にスライド自在に支持されている。
【００４０】
ここで、図８に詳細に示されるように、ガイドシャフト３２に係合する保持部材３４は、単一のもので構成されるが、ガイドシャフト３３に係合する保持部材３５は、ガイドシャフト３３の軸方向に沿って所定の間隔を空けて２個設けられている。
【００４１】
この２つの保持部材３５，３５は、ホルダ３１に固定された支持部材３６内に収容されている。この支持部材３６には、外方に向けてラック３７が形成されたラック部３８が、後述する付勢手段を介して移動自在に係合されている。このラック３７には、ピニオン歯車３９が歯合されている。
【００４２】
このピニオン歯車３９の回転によって、ラック３７にガイドシャフト３２，３３の軸方向の駆動力が伝達されることにより、光ヘッド２８がガイドシャフト３２，３３に案内されて移送される。このピニオン歯車３９は、前記駆動モータ２４によって回転駆動される。
【００４３】
すなわち、図７に示されるように、駆動モータ２４の回転軸には、ウォーム歯車２５が嵌着されており、このウォーム歯車２５が、シャーシ２３に回転自在に支持されたウォームホイール２６に歯合されることにより、駆動モータ２４の回転力がウォームホイール２６に伝達される。
【００４４】
そして、このウォームホイール２６に上記ピニオン歯車３９が同軸に一体的に形成されている。このため、駆動モータ２４によってウォームホイール２６を介してピニオン歯車３９が駆動されることにより、光ヘッド２８が移送されることになる。なお、ウォームホイール２６としては、例えば平歯歯車あるいは、はすば歯車が使用される。
【００４５】
ここで、図６は、光ヘッド２８が光ディスクの最も内周側に位置した状態を示している。光ヘッド２８は、この図６に示す位置から駆動モータ２４の一方向の回転によってターンテーブル２７から離れる方向に移送される。また、光ヘッド２８は、駆動モータ２４を他方向に回転させることにより、ターンテーブル２７に近付く方向に移送されることになる。
【００４６】
なお、上記ヘッド部２９が取り付けられた印刷配線基板３０には、コネクタ４０が設けられている、そして、このコネクタ４０にケーブル４１が接続されることにより、ヘッド部２９に対して信号のやりとりが実行される。
【００４７】
図９は、図８における支持部材３６を斜線にて強調して示している。また、図１０は、図９を裏面側から見た状態を示すもので、特にラック部３８を強調して示している。なお、図９及び図１０において、ガイドシャフト３３は簡単のため省略している。
【００４８】
図９において、斜線で示す支持部材３６は、樹脂によって形成され、保持部材３５，３５が収容される略箱形状の収容部を、その長手方向中央部分に備えている。この支持部材３６は、保持部材３５，３５の収容部の長手方向両側が略板状に形成されており、ねじ４２によってホルダ３１に固定されている。
【００４９】
また、支持部材３６には、その長手方向の両端部にそれぞれボス３６ａ，３６ｂが形成され、さらに、保持部材３５，３５の収容位置に近接して、後述する引っ張りばね４３を掛けるための突起３６ｃが形成されている。
【００５０】
図１０は、支持部材３６にラック部３８が組み込まれた状態を、ラック部３８側から見たもので、斜線で示す部分が支持部材３６である。
【００５１】
ラック部３８は、樹脂で形成され、その長手方向の一方の縁にラック３７が一体的に形成されている。また、このラック部３８の両端部には開口が形成され、その縁に支持部材３６のボス３６ａ，３６ｂの先端が係合される係合部３８ａ，３８ｂが形成されている。
【００５２】
これら開口のそれぞれ一端は、支持部材３６のボス３６ａ，３６ｂを挿入するために幅広に形成され、開口の他端には、それぞれテーパ部３８ｃ，３８ｄが形成されている。
【００５３】
また、このラック部３８の長手方向中央部には、支持部材３６の突起３６ｃとの間に引っ張りばね４３を懸架するためのフック３８ｅが形成されている。さらに、このラック部３８には、その厚み方向に変位可能な弾性片３８ｆが形成されている。この弾性片３８ｆは、ラック部３８が支持部材３６から外れないようにするストッパの機能を有している。
【００５４】
以上のように形成された支持部材３６に対して、ラック部３８を組み込むためには、まず、ラック部３８の弾性片３８ｆを厚み方向に変位させ、開口の幅広部から支持部材３６のボス３６ａ，３６ｂをそれぞれ挿入させて、その先端を係合部３８ａ，３８ｂに係合させる。これにより、ラック部３８は、支持部材３６に前記開口の範囲で移動自在に支持されることになる。
【００５５】
ラック部３８が、その開口の幅広部が支持部材３６のボス３６ａ，３６ｂに近付く方向に移動する際には、支持部材３６の突起３６ｃの先端がラック部３８の弾性片３８ｆに当接して移動が規制されることになり、ボス３６ａ，３６ｂが開口の幅広部まで到達することが阻止される。すなわち、通常動作状態では、ラック部３８が支持部材３６から外れることはない。
【００５６】
ラック部３８が支持部材３６に係合された状態で、引っ張りばね４３を支持部材３６の突起３６ｃとラック部３８のフック３８ｅとの間に懸架すると、その弾性力によってラック部３８は、そのテーパ部３８ｃ，３８ｄが支持部材３６のボス３６ａ，３６ｂに圧接するように付勢される。
【００５７】
このとき、テーパ部３８ｃ，３８ｄによって、ラック部３８は、そのラック３７方向にシフトする力を受け、ラック３７がピニオン歯車３９に引っ張りばね４３の弾性力に応じた力で圧接されることになる。これにより、ラック３７がピニオン歯車３９との間のバックラッシは効率良く抑制されることになる。
【００５８】
図１１（ａ）は、支持部材３６のみを取り出して示し、同図（ｂ）は、ラック部３８のみを取り出して示している。図１１（ａ）において、斜線で示す面がラック部３８と対向する面であり、中間部に保持部材３５，３５が収容される収容部３６ｄ，３６ｄが形成されている。
【００５９】
この支持部材３６には、その長手方向の両端部にそれぞれ２個ずつ、ラック部３８と対向する面から垂直方向に突出する突部３６ｅが形成されている。支持部材３６は、この突部３６ｅによってラック部３８と接するように構成され、ラック部３８が容易にかつ確実に摺動するようにしている。
【００６０】
図１１（ｂ）において、ラック部３８は、樹脂で一体形成され、その両端部の２つの開口の他に、中央部の引っ張りばね４３が配設される部分にも開口が形成されている。
【００６１】
上記した実施の形態によれば、ヘッド部２９が取り付けられたホルダ３１に支持部材３６を固定し、この支持部材３６に対して、ラック３７が形成されたラック部３８を、ラック３７がピニオン歯車３９に所定の圧力を持って歯合するように付勢手段を介して取り付けるている。このため、ピニオン歯車３９とラック３７との間のバックラッシを簡単な構造で確実に抑制することができるようになり、光ヘッド３１の移送が安定に実行できるようになる。
【００６２】
なお、上記した実施の形態では、支持部材３６をねじ４２によってホルダ３１に固定するようにしたが、図１２に示すように、ホルダ３１に支持部材３６と同じ機能を有する支持部４４を一体的に形成するようにすれば、部品点数が削減され、より構成を簡易化することが可能となる。
【００６３】
また、上記した実施の形態では、支持部材３６にボス３６ａ，３６ｂを形成し、ラック部３８にテーパ部３８ｃ，３８ｄを形成するようにしたが、逆に、支持部材３６にテーパ部を形成し、ラック部３８にボスを形成するようにしても良いものである。
【００６４】
なお、この発明は上記した実施の形態そのままに限定されるものではなく、実施段階ではその要旨を逸脱しない範囲で構成要素を種々変形して具体化することができる。
【００６５】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００６６】
【発明の効果】
以上詳述したようにこの発明によれば、簡易な構成で小型化及び薄型化を促進することができ、しかも、十分に実用的なレベルでバックラッシを抑制し、光ヘッドを高精度で移送することを可能とした光ヘッド装置、光ヘッドの移送方法を提供することができる。また、この発明によれば、上記の光ヘッド装置を使用した光ディスク装置を提供することができる。
【図面の簡単な説明】
【図１】この発明の実施の形態を示すもので、光ディスク装置を説明するために示す外観図。
【図２】同光ディスク装置におけるディスクローディング部を上面側から見た状態を説明するために示す図。
【図３】同光ディスク装置における同ディスクローディング部を裏面側から見た状態を説明するために示す図。
【図４】同ディスクローディング部におけるベース体の内部にトレイが収納された状態を説明するために示す図。
【図５】同ディスクローディング部におけるベース体からトレイが引き出された状態を説明するために示す図。
【図６】同ディスクローディング部におけるシャーシを上面側から見た状態を説明するために示す図。
【図７】同ディスクローディング部におけるシャーシを裏面側から見た状態を説明するために示す図。
【図８】同ディスクローディング部におけるフィード機構を説明するために示す図。
【図９】同フィード機構における支持部材を強調して説明するために示す図。
【図１０】同フィード機構におけるラック部の支持部材への取り付け状態を説明するために示す図。
【図１１】同フィード機構における支持部材とラック部との詳細な構造を説明するために示す図。
【図１２】同フィード機構の形例を説明するために示す図。
【符号の説明】
１１…光ディスク装置、１２…キャビネット、１３…前面パネル、１４…ディスクローディング部、１５…電源キー、１６…表示部、１７…操作キー、１８…ベース体、１９…連結板、２０…取り付け片、２１…クランプ部材、２２トレイ、２３…シャーシ、２４…駆動モータ、２５…ウォーム歯車、２６…ウォームホイール、２７…ターンテーブル、２８…光ヘッド、２９…ヘッド部、３０…印刷配線基板、３１…ホルダ、３２，３３…ガイドシャフト、３４，３５…保持部材、３６…支持部材、３７…ラック、３８…ラック部、３９…ピニオン歯車、４０…コネクタ、４１…ケーブル、４２…ねじ、４３…引っ張りばね、４４…支持部。
【図１】
2004355735.tif 000003
【図２】
2004355735.tif 000004
【図３】
2004355735.tif 000005
【図４】
2004355735.tif 000006
【図５】
2004355735.tif 000007
【図６】
2004355735.tif 000008
【図７】
2004355735.tif 000009
【図８】
2004355735.tif 000010
【図９】
2004355735.tif 000011
【図１０】
2004355735.tif 000012
【図１１】
2004355735.tif 000013
【図１２】
2004355735.tif 000014